(57)【特許請求の範囲】
【請求項１】
記録媒体に情報信号を記録する信号記録手段と、
上記信号記録手段の記録を停止させるための操作を行う記録停止操作手段と、
上記記録媒体への記録動作中であることを表す警告手段と、
電力供給を制御する電力供給制御手段と、
上記電力供給制御手段をオン／オフするための操作を行う電源オン／オフ操作手段と、
上記記録停止操作手段により記録停止操作後、上記信号記録手段の記録動作中に上記警告手段を動作させると共に、上記電源オン／オフ操作手段が上記オフ操作された以後の記録動作中は上記電力供給制御手段をオン状態にし、記録未完了警告期間経過後に電源オフする制御手段とを備えることを特徴とする信号記録装置。
【請求項２】
上記信号記録手段は、少なくとも、映像信号を圧縮処理する映像圧縮処理手段と、画像圧縮信号に誤り訂正符号付加する誤り訂正符号付加手段とを有し、上記信号記録手段と上記誤り訂正符号付加手段とで入力された映像信号を信号処理することでシステムディレイを生じることを特徴とする請求項１記載の信号記録装置。
【発明の詳細な説明】
【０００１】
【発明の属する技術分野】
本発明は、記録媒体に対して映像及び音声信号等の情報信号を記録する信号記録装置に関する。
【０００２】
【従来の技術】
信号記録装置は、例えばビデオテープ、ディスク等の記録媒体に映像信号又は音声信号等を記録している。
【０００３】
映像・音声信号等を記録する例えばカメラ一体型ビデオテープレコーダは、撮影した映像をビデオテープ等に記録している。このカメラ一体型ビデオテープレコーダは、ニュース取材等に使用される場合がある。カメラ一体型ビデオテープレコーダは、機動性の観点から、例えばバッテリーによって駆動され、持ち運びが自由とされている。
【０００４】
例えば、カメラ一体型ビデオテープレコーダは、上記バッテリーの容量により記録時間の制約を受けることから、一般的な使い方として、こまめに装置電源が切られる。
【０００５】
近年、カメラ一体型ビデオテープレコーダは、映像・音声をディジタル化した後に画像圧縮化等の処理がなされて記録媒体に記録することが多くなっている。例えば、カメラ一体型ビデオテープレコーダに取り込まれた映像・音声は、圧縮処理等が行われ、さらに誤り訂正符号付加、信号遅延等の信号処理部によって信号処理されてから、ビデオテープに記録される。
【０００６】
このようにカメラ一体型ビデオテープレコーダでは、信号処理部等に映像・音声信号が入力されてから、実際に記録媒体に記録されるまでの時間、いわゆるシステムディレイが発生する。
【０００７】
【発明が解決しようとする課題】
ところで、ビデオテープへの映像・音声信号の記録の終了は、例えば、カメラ一体型ビデオテープレコーダに設けられた記録停止ボタンによって行われるが、記録停止ボタンが押された時点からこの時の映像信号が記録媒体に記録されるまで上記システムディレイのために時間がかかるために、記録停止ボタンを押してすぐに記録媒体への映像・音声信号の記録を止めてしまうと、記録停止ボタンが押された直前の映像音声信号が欠けてしまう。
【０００８】
また、記録停止ボタンが押されてからのしばらくの間の記録動作状態にあるときに、カメラ一体型ビデオテープレコーダの装置電源が切られたりすると、その部分の映像・音声信号の記録が欠てしまったり、さらに、カメラ一体型ビデオテープレコーダが激しく揺すられたりすると、その部分の映像・音声信号が再生されたときに乱れてしまう場合がある。
【０００９】
そこで、本発明は、上述の実情に鑑みてなされたものであって、記録停止操作後の記録動作中の情報信号を欠損等することなく記録媒体に記録することができる信号記録装置の提供を目的とする。
【００１０】
【課題を解決するための手段】
本発明に係る信号記録装置は、上述の課題を解決するために、記録媒体に情報信号を記録する信号記録手段と、上記信号記録手段の記録を停止させるための操作を行う記録停止操作手段と、上記記録媒体への記録動作中であることを表す警告手段と、電力供給を制御する電力供給制御手段と、上記電力供給制御手段をオン／オフするための操作を行う電源オン／オフ操作手段と、上記記録停止操作手段により記録停止操作後、上記信号記録手段の記録動作中に上記警告手段を動作させると共に、上記電源オン／オフ操作手段が上記オフ操作された以後の記録動作中は上記電力供給制御手段をオン状態にし、記録未完了警告期間経過後に電源オフする制御手段とを備える。
【００１１】
このように構成した信号記録装置は、信号記録手段の記録中に記録停止操作手段が操作された以後の記録動作中に制御手段によって警告手段が動作する。
【００１４】
【発明の実施の形態】
本発明に係る信号記録装置について図面を参照して説明する。本発明の実施の形態は、図１に示すような信号記録部２へ電源供給する電力供給系等を有し、信号記録部１によって磁気テープ、ディスク等の記録媒体に情報信号、例えばディジタル映像信号やディジタルオーディオ信号、を記録するように構成した信号記録装置１である。
【００１５】
信号記録装置１は、記録媒体に情報信号を記録する信号記録手段とされる信号記録部２と、信号記録部２の記録を停止するための操作を行う記録停止ボタン３と、記録媒体への記録動作中であることを表す警告部４と、記録停止ボタン３により記録停止操作された後の信号記録部２の記録動作中に警告部４を動作させるＣＰＵ５とを備えている。これにより、信号記録装置１は、記録媒体に情報信号を記録している最中に記録停止ボタン３が操作された以後の記録動作中に、ＣＰＵ５によって警告部２を作動させる。
【００１６】
また、信号記録装置１は、電力供給を制御する電源制御回路６と、電源制御回路６から供給された電流を変換して後段の信号記録部２等に供給するＤＣ−ＤＣコンバータ７と、上記電源制御回路６をオン／オフするための操作を行う電源スイッチ８とを備えている。
【００１７】
このように構成した信号記録装置１について、記録媒体への記録中に記録停止ボタン３が操作されたときの動作を説明する。
【００１８】
情報信号の記録を停止させるとき、先ず記録停止ボタン３の操作を行う。記録停止ボタン３は、例えば、押圧操作されることで、記録停止信号を出力する。この記録停止ボタン３から出力された記録停止信号は、ＣＰＵ５に入力される。
【００１９】
ＣＰＵ５は、電源制御回路６及び信号記録部２を制御する制御手段である。このＣＰＵ５は、記録停止ボタン３からの記録停止信号が入力されると、現在記録モードであるかを判別する。信号記録部２が記録動作中であった場合、ＣＰＵ５は、警告部４を作動させる。警告部４による警告期間は、例えば、記録停止ボタン３が押された時に当該信号記録装置１に入力された映像等が信号処理部２によって信号処理されて記録媒体へ記録終了するまでの期間である。
【００２０】
警告部４は、例えば、発光ダイオードを有し、ＣＰＵ５からの制御信号によって、発光ダイオードを上記警告期間、点滅又は点灯させる。なお、この警告部４は、ＣＰＵ５からの制御信号によって、上記警告期間にアラーム音を発するようすることもできる。
【００２１】
上記ＣＰＵ５は、上述したように電源制御回路６を制御する。ＣＰＵ５は、例えばコントロール信号によって電源制御回路６を制御し、この電源制御回路６からの電力供給量を制御する。
【００２２】
電源制御回路６は、電源スイッチ８の操作によりオン／オフされ、図示しない電源、例えばバッテリー、からの電流を出力制御して後段のＤＣ−ＤＣコンバータ７に供給する。ＤＣ−ＤＣコンバータ７は、電源制御回路６からの電流を変換して、この変換した電流を後段の信号記録部２等に供給する。
【００２３】
信号記録部２は、入力される情報信号を信号処理等して、この信号処理した情報信号を記録媒体に記録する信号記録手段とされ、例えば、情報信号を圧縮処理する情報信号圧縮処理回路等を有して構成される。この信号記録部２は、通常は、入力された情報信号について複数種の信号処理を行うように複数の回路によって構成される。この信号記録部２では、入力されてから情報信号を記録媒体に記録するまでの遅れ時間、すなわちシステムディレイを生じる。
【００２４】
よって、信号記録部２の記録するまでの遅れ時間によって、上記記録停止ボタン３が操作された直前に信号記録装置１に入力された情報信号は、信号記録部２にまだ入力されていないか、または、信号記録部２による信号処理中になる。
【００２５】
以上が記録中に記録停止ボタン３が操作されたときの動作であり、信号記録装置１は、記録停止ボタン３が操作された時に入力された情報信号を記録媒体に記録するまでの記録動作中を警告期間として、ＣＰＵ５によって警告部４を動作させる。
【００２６】
よって、信号記録装置１は、信号記録部２が記録媒体への記録中に、例えば入力された情報信号についての信号処理中に記録停止ボタン３が操作されたとき、警告部４を動作させることで、現在記録動作中であることを知らせることができる。
【００２７】
したがって、記録停止ボタン３を操作した後であっても、警告部４によって、ユーザは、現在記録動作中であることを知ることができ、信号記録装置１の取り扱いについて注意を払うことにより、記録停止ボタン３による記録停止操作後の記録動作中に、記録媒体に記録される情報信号が欠ける又は破壊されるといったことを防止することができる。例えば、ユーザは、記録停止ボタン３の操作後における記録動作中であることを知ることで、電源スイッチ８をきってしまうことを防止できる。
【００２８】
また、信号記録装置１は、記録停止ボタン３が操作された後に、電源制御回路６からの電流供給を止めるよう電源スイッチ８が操作されても、信号記録部２の記録動作が終了するまで電源制御回路６からの電流の供給を停止させないようにも構成している。このとき、信号記録装置１は、ＣＰＵ５により電源制御回路６を制御して、上記電源スイッチ８の操作後の上記電流の供給を行う。
【００２９】
このように構成した信号記録装置１は、記録媒体への情報信号の記録中に記録停止ボタン３が操作された後、電源スイッチ８により停止操作されても、信号記録部２が所望の情報信号を信号処理し、記録媒体に記録終了するまではその記録動作を停止しない。
【００３０】
よって、記録停止ボタン３が操作された後に信号記録部２が記録動作が終了していないうちに電源スイッチ３が操作された場合であっても、信号記録装置１は、所望の情報信号の記録が終了するまで信号記録部２を駆動することができ、記録媒体に情報信号を欠けることなく記録することができる。
【００３１】
なお、信号記録装置１は、記録停止ボタン３が操作された後に、上述の警告部４を動作させつつ、電源スイッチ８が操作された場合には電力供給を止めないようにすることもできる。
【００３２】
次に、信号記録装置１をカメラ一体型ビデオテープレコーダに適用して説明する。
【００３３】
カメラ一体型ビデオテープレコーダは、記録媒体として、例えば磁気テープを有してなるビデオテープを使用し、磁気テープに情報信号である例えば映像信号を記録する。
【００３４】
このカメラ一体型ビデオテープレコーダは、図２に示すように、信号記録部２として、入力された映像信号を信号処理して出力する信号処理回路１１と、信号処理回路１１から出力された映像信号を圧縮して圧縮画像信号を出力する映像信号圧縮処理回路１２と、映像信号圧縮処理回路１２から出力された圧縮画像信号に誤り訂正符号を付加して出力する誤り訂正符号付加回路１３と、誤り訂正符号付加回路１３から出力された誤り訂正符号付加された圧縮画像信号を変調して出力する変調回路１４と、変調回路１４からの変調された圧縮画像信号を図示しない回転ドラムに伝送するロータリートランス１５と、ロータリートランス１５を介して入力された圧縮画像信号を増幅させる記録増幅回路１６とから構成される。
【００３５】
なお、記録増幅回路１６は、図示しない回転ヘッドに接続されている。回転ヘッドは、記録増幅回路１６から出力された画像圧縮信号を上記回転ドラムと共に回転しながら磁気テープに記録する。
【００３６】
上記カメラ一体型ビデオテープレコーダは、映像信号の記録方式として、ＭＰＥＧ２方式を採用し、映像信号を圧縮符号化して得た圧縮画像信号を上記磁気テープに記録する。例えば、ＭＰＥＧ２によれば、映像信号は、フレーム内符号化画像，フレーム間順方向符号化画像，フレーム間双方向予測符号化画像の何れかに圧縮符号化されて、ＧＯＰ（Group Of Picture）を構成するように磁気テープに記録される。
【００３７】
上述のように信号記録部２を構成しているカメラ一体型ビデオテープレコーダでは、図３（ａ）に示すように、記録停止ボタン３が操作された時に映像信号（Ａ）が信号処理回路１１に入力される。この映像信号（Ａ）は、上述の信号処理回路１１等からなる信号記録部２によって信号処理されるため、図３（ｂ）に示すように、記録停止ボタン３が操作されてから、これらの処理にかかる時間、すなわちシステムディレイを得てＧＯＰnに記録される。
【００３８】
この場合、カメラ一体型ビデオテープレコーダは、記録停止ボタン３が操作された後であって、記録が終了するまでの記録動作中を、図３（ｃ）に示すように、警告期間として警告部４を動作させる。例えば、警告部４の作動により、発光ダイオードが点滅若しくは点灯し、又はアラーム音等が発せられる。
【００３９】
上述のように構成したカメラ一体型ビデオテープレコーダは、自らの意志で記録停止を行ったユーザに対して記録停止ボタン３を操作した後でも磁気テープへの画像信号の記録が完了していないことを知らせ、警告することができる。
【００４０】
よって、カメラ一体型ビデオテープレコーダは、磁気テープへの記録が終了する前に電源スイッチ８を切ること、及び装置本体に振動を与える等の激しく取り扱うことを防止できるため、この警告期間中の記録データの欠損及び破壊を防止することができる。
【００４１】
なお、カメラ一体型ビデオテープレコーダは、表示部を備え、上記警告の期間中に現在記録中であるこの表示部に表示することもできる。例えば、記録停止ボタン３が操作される前の記録中の上記表示部に現在記録中であることを表示し、その表示を記録停止ボタン３が操作された以後においても表示する。
【００４２】
また、カメラ一体型ビデオテープレコーダは、電力供給系として、図４に示すようにバッテリー２１を備えて構成することもできる。
【００４３】
カメラ一体型ビデオテープレコーダは、電源制御回路６として、例えば、電界効果トランジスタを用いている。カメラ一体型ビデオテープレコーダは、電界効果トランジスタのゲートの電圧を変化させることで、ＤＣ−ＤＣコンバータ７への電力供給を制御している。
【００４４】
図４に示す電力供給系において、記録停止ボタン３が操作された後であって、磁気テープへの画像信号の記録が完了する前に電源スイッチに８がオフ操作された場合の当該電力供給系の動作について説明する。
【００４５】
図５（ａ）は、記録動作中に記録停止ボタン３が操作されてから信号記録部２が磁気テープへの記録を停止するまでの時間を示し、すなわち記録未完了警告期間を示している。なお、記録未完了警告期間は、上記警告期間と一致する。
【００４６】
なお、図５（ｂ）乃至図５（ｅ）は、時間軸が同じになるように示しており、図５（ａ）に対する時間軸とも同じとする。
【００４７】
上記電力供給系において、記録動作中に電源スイッチ８がオフ操作された場合、図４に示す（Ａ）点でのＣＰＵ５からのコントロール信号が、図５（ｂ）に示すように、上記記録未完了警告期間経過後に立ち下がりに変化する。例えば、記録動作中の電源スイッチ８のオフ操作は、図５（ｃ）に示す時期であって、記録未完了警告期間になされたとする。
【００４８】
上記ＣＰＵ５からのコントロール信号によって、電界効果トランジスタへのコントロール信号（ＦＥＴコントロール信号）は、図５（ｄ）に示すように、上記記録未完了警告期間経過後に立ち上がりに変化する。この電界効果トランジスタからのコントロール信号によって、ＤＣ−ＤＣコンバータ７への供給電力は、図５（ｅ）に示すように、上記記録未完了警告期間経過後に変化して、停止する。
【００４９】
このように電力供給系統は、記録停止ボタン３による記録停止操作後であって、記録未完了警告期間内に電源スイッチ８によりオフ操作されても、当該オフ操作を無効にして、記録未完了警告期間経過後に電源制御回路６からの電力供給を止めることができる。
【００５０】
よって、カメラ一体型ビデオテープレコーダは、記録停止ボタン３による記録停止操作後であって磁気テープが記録完了する前に、電源スイッチ８がオフ操作されても、記録の終わりの部分が欠けることはなくなる。
【００５１】
なお、信号記録装置１は、ハードディスク、光磁気ディスク、ディジタルビデオディスク等に情報信号を記録するように適用することができる。
【００５２】
【発明の効果】
本発明に係る信号記録装置は、電力供給を制御する電力供給制御手段と、上記電力供給制御手段をオン／オフするための操作を行う電源オン／オフ操作手段と、上記記録停止操作手段により記録停止操作後、上記信号記録手段の記録動作中に上記警告手段を動作させると共に、上記電源オン／オフ操作手段が上記オフ操作された以後の記録動作中は上記電力供給制御手段をオン状態にし、記録未完了警告期間経過後に電源オフする制御手段とを備えることで、ユーザが記録停止手段を操作した後に電源オフ操作しても、記録動作中は電力供給制御手段から電力供給が行われるため、情報信号を欠損なく記録媒体に記録することができるとともに、記録終了後には自動的に電源をオフ状態とすることができる。
【００５３】
よって、信号記録装置は、記録停止操作後の記録動作中の情報信号を欠けることなく所望の情報信号まで記録媒体に記録することができる。例えば、ユーザは、記録停止操作手段を操作した後であっても、記録動作中であることを警告手段によって知ることができ、信号記録装置の取り扱いに注意することで、記録媒体に記録される情報信号の欠損や破壊を防止することができる。さらに、信号記録装置は、記録停止手段を操作した後に電源オン／オフ操作手段がオフ操作されても、記録動作中は電力供給制御手段から電流が供給されるために、情報信号を欠損なく記録媒体に記録することができる。
【図面の簡単な説明】
【図１】本発明の実施の形態となる信号記録装置を示す回路構成図である。
【図２】上記信号記録装置の備える信号記録部を示す回路構成図である。
【図３】上記信号記録装置を適用したカメラ一体型ビデオテープレコーダにおいて、記録停止ボタンにより記録停止操作がなされたときの、記録動作等について示す図である。
【図４】上記カメラ一体型ビデオテープレコーダの電力供給系を示す回路図である。
【図５】上記カメラ一体型ビデオテープレコーダにおいて、各種制御信号等の変化について示す図である。
【符号の説明】
１  信号記録装置、２  信号記録部、３  記録停止ボタン、４  警告部、５  ＣＰＵ、６  電源制御回路、８  電源スイッチ
【図１】
0003870483.tif 000002
【図２】
0003870483.tif 000003
【図３】
0003870483.tif 000004
【図４】
0003870483.tif 000005
【図５】
0003870483.tif 000006